(57)【要約】      （修正有）【課題】下半身を適度に締め付けることで、股関節や膝の不安定な動きを抑え、快適歩行をサポートすることができ、これにより自分の身体の正しい姿勢およびバランスの心地よさを着用者に意識させることができるトレンカを提供する。【解決手段】着用状態において伸縮性を有するベース生地領域２０の圧力よりも強い圧力を装着部分に対して部分的に加える着圧領域３０として、仙骨を固定するとともに股関節に外旋をかけてヒップを寄せるための第１サポート領域と、ヒップを上方に持ち上げるための第２サポート領域３２と、少なくとも大腿に圧力を加えるための第３サポート領域３３と、少なくとも内股に圧力を加えるための第４サポート領域３４とを設ける。また、下レッグ部１３を外側または内側にねじって下腿に装着することにより、上記着圧領域３０がふくらはぎに圧力およびねじり力を加えるようにする。【選択図】図１
0003161697.tif 000002
【実用新案登録請求の範囲】
【請求項１】
腰から股に装着されるパンツ部と、左右１対の大腿のそれぞれに装着される上レッグ部と、左右１対の下腿のそれぞれに装着される下レッグ部と、足先と踵が露出するように左右１対の足のそれぞれの土踏まずの部分に引っ掛けて装着されるフット部とを有しているとともに、着用状態において伸縮性を有するベース生地領域の圧力よりも強い圧力を装着部分に対して部分的に加える着圧領域が設けられているトレンカであって、
前記着圧領域は、仙骨を固定するとともに股関節に外旋をかけてヒップを寄せるための第１サポート領域と、ヒップを上方に持ち上げるための第２サポート領域と、少なくとも大腿に圧力を加えるための第３サポート領域と、少なくとも内股に圧力を加えるための第４サポート領域とを有することを特徴とするトレンカ。
【請求項２】
前記第１サポート領域は、前記パンツ部の後面上端と前記パンツ部の股部との間に設けられ、
前記第２サポート領域は、前記パンツ部の股部から前記パンツ部のヒップ部の下端および前記パンツ部のヒップ部の側面をこの順に介して前記パンツ部の前面上端に至る領域に設けられ、
前記第３サポート領域は、前記パンツ部の股部から前記上レッグ部の後面を通り前記上レッグ部の外側および前記下レッグ部の外側をこの順に介して前記フット部の下端に至る領域に設けられ、
前記第４サポート領域は、前記パンツ部の股部から前記上レッグ部の内側および前記下レッグ部の内側をこの順に介して前記フット部の下端に至る領域に設けられている請求項１に記載のトレンカ。
【請求項３】
前記第１サポート領域は、前記パンツ部のヒップ部のトップ部を避けるように、前記パンツ部の後面上端と前記ヒップ部のトップ部の内側を介して前記パンツ部の股部との間に設けられた略逆三角形状のものである請求項１または２に記載のトレンカ。
【請求項４】
前記下レッグ部を外側または内側にねじって下腿に装着することにより、前記第３および第４サポート領域のうちの前記下レッグ部に形成されている部位がふくらはぎに圧力およびねじり力を加える請求項１〜３のいずれか１項に記載のトレンカ。
【請求項５】
前記下レッグ部を内側に半回転または１回転ねじって下腿に装着する請求項４に記載のトレンカ。
【請求項６】
前記フット部の前端または後端に、前記下レッグ部のねじりの有無および回数を確認するための回旋用マークが設けられている請求項４または５に記載のトレンカ。
【請求項７】
前記上レッグ部と前記下レッグ部との境界部分の後面で前記第３および第４サポート領域の両者を結ぶ領域に、膝裏に圧力を加える第５サポート領域が設けられている請求項１〜６のいずれか１項に記載のトレンカ。
【考案の詳細な説明】
【技術分野】
【０００１】
本考案は、下半身（腰から足までの部分）を適度に締め付けることで、股関節や膝の不安定な動きを抑え、快適歩行をサポートするトレンカに関する。
【背景技術】
【０００２】
従来、下腿および足に圧力を加えるソックスとして、特許文献１のものが提案されている。特許文献１のソックスは、口ゴム部と前面の脛側及び後面の脹ら脛側からなるレッグ部と足首部と踵部と土踏まず部位を含むフート部とからなる着圧ハイソックスにおいて、少なくともレッグ部と足首部と土踏まず部位を含むフート部に表糸に紡績糸、裏糸にフィラメント・ツイスト・ヤーンを使用するとともに弾性糸からなる挿入糸を挿通して編成し、爪先部と踵部に前記表糸と裏糸に補強糸を挿入して編成し、前記レッグ部を上部から下部に順次編目長を短く編成するとともに、前記脛側の編目長を長く前記膨ら脛側の編目長を短くし、前記挿入糸の供給量を前記レッグ部の上部から下部に順次減少して編成したことを特徴としている（請求項１）。
【０００３】
特許文献１のソックスは、レッグ部は膨ら脛側を主体に加圧し、そして土踏まず部位を含めて足首部を強圧にし、レッグ部の下部から上部へ着圧を段階的に減少させて総合的な静脈血流の流れを良くするようにし、この圧迫力による刺激で足の疲労回復を早めるようにしたものである（段落０００７）。
【０００４】
また、特許文献１のソックスと同様に、下半身に圧力を加えることのできるタイツあるいはトレンカもある。
【先行技術文献】
【特許文献】
【０００５】
【特許文献１】特開２００５−３２５４８６号公報
【考案の概要】
【考案が解決しようとする課題】
【０００６】
人間の正しい姿勢は、人間の見た目を美しくするだけでなく、身体の最良のパフォーマンスを引き出し、健康までも作り出す。したがって、自分の身体の正しい姿勢およびバランスの心地よさを意識することは重要である。
【０００７】
しかし、従来のトレンカは、特許文献１のソックスと同様に、自分の身体の正しい姿勢およびバランスの心地よさを意識させるものではなかった。
【０００８】
本考案は、上述した事情に鑑みてなされたもので、下半身を適度に締め付けることで、股関節や膝の不安定な動きを抑え、快適歩行をサポートすることができ、これにより自分の身体の正しい姿勢およびバランスの心地よさを着用者に意識させることができるトレンカを提供することを目的とする。
【課題を解決するための手段】
【０００９】
本考案は、前記目的を達成するため、腰から股に装着されるパンツ部と、左右１対の大腿のそれぞれに装着される上レッグ部と、左右１対の下腿のそれぞれに装着される下レッグ部と、足先と踵が露出するように左右１対の足のそれぞれの土踏まずの部分に引っ掛けて装着されるフット部とを有しているとともに、着用状態において伸縮性を有するベース生地領域の圧力よりも強い圧力を装着部分に対して部分的に加える着圧領域が設けられているトレンカであって、
前記着圧領域は、仙骨を固定するとともに股関節に外旋をかけてヒップを寄せるための第１サポート領域と、ヒップを上方に持ち上げるための第２サポート領域と、少なくとも大腿に圧力を加えるための第３サポート領域と、少なくとも内股に圧力を加えるための第４サポート領域とを有することを特徴とするトレンカを提供する。
【００１０】
本考案において、上記第１サポート領域は、パンツ部の後面上端とパンツ部の股部との間に設けられ、第２サポート領域は、パンツ部の股部からパンツ部のヒップ部の下端およびパンツ部のヒップ部の側面をこの順に介してパンツ部の前面上端に至る領域に設けられ、第３サポート領域は、パンツ部の股部から上レッグ部１２の後面を通り上レッグ部の外側および下レッグ部の外側をこの順に介してフット部の下端に至る領域に設けられ、第４サポート領域は、パンツ部の股部から上レッグ部の内側および下レッグ部の内側をこの順に介してフット部の下端に至る領域に設けられている構成とすることができる。これにより、股関節や膝の不安定な動きをより効果的に抑え、快適歩行をより効果的にサポートすることができる。
【００１１】
本考案において、上記第１サポート領域は、パンツ部のヒップ部のトップ部を避けるように、パンツ部の後面上端の中央部分とヒップ部のトップ部の内側を介してパンツ部の股部との間に設けられた略逆三角形状のものとすることができる。これにより、第１サポート領域によって、仙骨をさらに効果的に固定し、股関節にさらに効果的に外旋をかけるとともに、ヒップをさらに効果的に寄せることができる。
【００１２】
本考案において、下レッグ部を外側または内側にねじって下腿に装着することにより、第３および第４サポート領域のうちの下レッグ部に形成されている部位がふくらはぎに圧力およびねじり力を加える構成とすることができる。これにより、第３および第４サポート領域のうちの下レッグ部に形成されている部位によって、ふくらはぎに圧力およびねじり力を効果的に加えることができる。
【００１３】
本考案において、下レッグ部は、内側に半回転または１回転ねじって下腿に装着するものであることが適当である。これにより、第３および第４サポート領域のうちの下レッグ部に形成されている部位によって、ふくらはぎに圧力およびねじり力をさらに効果的に加えることができる。また、着用者の足がＸ脚の場合には、下レッグ部を内側に半回転ねじって下腿に装着することで、Ｘ脚の着用者の足を正しい方向にサポートすることができ、下レッグ部を内側に１回転ねじって下腿に装着することで、Ｏ脚の着用者の足を正しい方向にサポートすることができる。したがって、足のバランスを効果的に整えることができる。
【００１４】
本考案において、フット部の前端または後端に、下レッグ部のねじりの有無および回数を確認するための回旋用マークが設けられている構成とすることができる。これにより、着用者が下レッグ部および回旋用マークの位置を視認するという簡単な方法で、下レッグ部のねじりの有無および回数を容易に確認することできる。
【００１５】
本考案において、上レッグ部と下レッグ部との境界部分の後面で第３および第４サポート領域の両者を結ぶ領域に、膝裏に圧力を加える第５サポート領域が設けられている構成とすることができる。これにより、膝裏の位置を固定し、着用状態において膝が後側に移動するのを防止することができる。また、下レッグ部をねじる場合には、ねじり領域をほぼ下レッグ部のみに抑えることができる。
【考案の効果】
【００１６】
本考案のトレンカは、下半身を適度に締め付けることで、股関節や膝の不安定な動きを抑え、快適歩行をサポートすることができ、これにより自分の身体の正しい姿勢およびバランスの心地よさを意識させることができる。また、下レッグ部をねじることで、回旋効果により歩行しやすく筋肉を補助することができる。
【図面の簡単な説明】
【００１７】
【図１】本考案に係るトレンカの一実施形態の着用状態における正面図
【図２】同実施形態を示す側面図
【図３】同実施形態を示す背面図
【図４】同実施形態を示す下レッグ部ねじり後の正面図
【考案を実施するための形態】
【００１８】
以下、本考案につき図面を参照してさらに詳しく説明する。図１〜図４は本考案に係るトレンカの一実施形態を示すもので、図１は着用状態における正面図、図２は図１の側面図、図３は図１の背面図、図４は下レッグ部ねじり後の正面図である。また、図４の左側に示す右足の下レッグ部は内側に半回転ねじって着用した状態を示し、図４の左側に示す右足の下レッグ部は内側に１回転ねじって着用した状態を示してある。
【００１９】
本例のトレンカ１０は、着用者の下半身（腰から足までの部分）に装着されるものであり、腰から股に装着されるパンツ部１１と、左右１対の大腿のそれぞれに装着される上レッグ部１２と、左右１対の下腿のそれぞれに装着される下レッグ部１３と、足先と踵が露出するように左右１対の足のそれぞれの土踏まずの部分に引っ掛けて（足を通すように）装着されるフット部１４とを有している。また、パンツ部１１の上端には、履き口となるウエスト部１１ａが一体に形成されている。なお、本例のトレンカ１０は、従来と同様に、左右対称に形成されているものである。また、左右対称の部分については、一方のみに符号を付し、他方の符号は省略してある。
【００２０】
本例のトレンカ１０は、伸縮性を有するベース生地領域２０と、図１〜図４にハッチングして示す着圧領域３０とを有している。着圧領域３０は、着用状態においてベース生地領域２０の圧力（締め付け力）よりも強い圧力を装着部分に対して部分的、すなわち着圧領域３０を装着した部分に加えるもので、材質や縫製方法の選択によって着圧力を調整することができる。なお、ベース生地領域２０の材質は適宜選択することができる。
【００２１】
本例の着圧領域３０は、第１〜第５サポート領域３１、３２、３３、３４、３５の５つの着圧領域３０（符号３０は、第１〜第５サポート領域３１、３２、３３、３４、３５を総称する。）を有している。なお、図中第１〜第５サポート領域３１、３２、３３、３４、３５の境界を示す破線は、仮想的なものであり、実際には連続する部位である。また、本例のトレンカ１０において、第１サポート領域３１を図３にクロスハッチング領域にて示し、第２サポート領域３２を図１〜図３に右斜め上から左斜め下に向かう左下がり斜線領域にて示し、第３サポート領域３３を図１〜図３に左斜め上から右斜め下に向かう右下がり斜線領域にて示し、第４サポート領域３４を図１、図３に左右方向に沿った横線領域にて示し、第５サポート領域３３を図３に上下方向に沿った縦線領域にて示してある。
【００２２】
前記第１サポート領域３１は、仙骨を固定するとともに股関節に外旋をかけてヒップを寄せるためのものであり、パンツ部１１の後面上端とパンツ部１１の股部１１ｂ（クロッチ部）との間に設けられている。また、本例の第１サポート領域３１は、パンツ部１１のヒップ部１１ｃのトップ部１１ｃａを避けるように、パンツ部１１の後面上端の中央部分とヒップ部１１ｃのトップ部１１ｃａの内側を介してパンツ部１１の股部１１ｂとの間に全体として略逆三角形状をなすように形成されている（図３）。
【００２３】
前記第２サポート領域３２は、ヒップを上方に持ち上げる、すなわち、ヒップのトップを上方に持ち上げるヒップアップをするためのものであり、パンツ部１１の股部１１ｂからパンツ部１１のヒップ部１１ｃの下端およびパンツ部１１のヒップ部１１ｃの側面をこの順に介してパンツ部１１の前面上端に至る領域に設けられている。また、本例の第２サポート領域３２は、パンツ部１１のヒップ部１１ｃのトップ部１１ｃａを避けるように配設されている。すなわち、本例の第２サポート領域３２は、パンツ部１１の股部１１ｂとパンツ部１１の側面下端とパンツ部１１の側面中央部とを結ぶ後面領域３２ｒと、この後面領域３２ｒに連続するように、パンツ部１１の側面下端とパンツ部１１の側面上端とこの側面上端に隣位するパンツ部１１の前面上端の中央部近傍とを結ぶ前面領域３２ｆとを備えている。なお、本例において、後面領域３２ｒは、ヒップと大腿後部との境界線（臀溝）をサポートすることにより、ヒップを下方から支持してヒップのトップをさらに効果的に持ち上げることができるようになっている。
【００２４】
前記第３サポート領域３３は、少なくとも大腿（大臀筋）に圧力を加えるためのものであり、パンツ部１１の股部１１ｂから上レッグ部１２の後面を通り上レッグ部１２の外側および下レッグ部１３の外側をこの順に介してフット部１４の下端に至る領域に設けられている。また、本例の第３サポート領域３３は、全体としてほぼ帯状をなすように形成されている。
【００２５】
前記第４サポート領域３４は、少なくとも内股（内転筋）に圧力を加えるためのものであり、パンツ部１１の股部１１ｂから上レッグ部１２の内側および下レッグ部１３の内側をこの順に介してフット部１４の下端に至る領域に設けられている。また、本例の第４サポート領域３４は、全体としてほぼ帯状をなすように形成されている。
【００２６】
前記第５サポート領域３５は、膝裏に圧力を加えるためのものであり、上レッグ部１２と下レッグ部１３との境界部分の後面（膝裏）で第３および第４サポート領域３３、３４の両者を結ぶ領域に設けられている。また、本例の第５サポート領域３５は、全体としてほぼ帯状をなすよう形成されている。さらに、本例の第５サポート領域３５は、下レッグ部１３にねじり（回旋）をかける場合、ねじり領域をほぼ下レッグ部１３のみに抑えるようにすることができる。
【００２７】
前記第１、第２、第３および第４サポート領域３１、３２、３３、３４の４者の一端は、パンツ部１１の股部１１ｂで接続されており、第３および第４サポート領域３３、３４の両者の他端は、フット部１４の下端で接続されている。そして、このような構成を採用したことにより、全ての着圧領域３０をベース生地領域２０と容易かつ確実に一体化することができるようになっている。
【００２８】
本例の第１、第２、第３、第４および第５サポート領域３１、３２、３３、３４、３５のそれぞれの着圧力は同一にされている。なお、第１、第２、第３、第４および第５サポート領域３１、３２、３３、３４、３５のそれぞれの着圧力を異なるものとすることができる。この場合の着圧力は、ベース生地領域２０の圧力を除く最大５種類となる。
【００２９】
本例のトレンカ１０において、フット部１４の後端には、下レッグ部１３のねじり（回旋）の有無およびその回数（回転数）を確認するための回旋用マーク４０が設けられている。本例の回旋用マーク４０は、ベース生地領域２０および着圧領域３０と異なる色彩の糸（アクセントカラー糸）により、フット部１４の後端縁の近傍に同心円をなす３本の環状線を設けることにより形成されている（図２、図３に１本のみ誇張して図示してある。）。なお、回旋用マーク４０は、フット部１４の前端縁近傍に設けてもよい。また、回旋用マーク４０の形状および色は、適宜選択することができる。
【００３０】
本例のトレンカ１０は、下半身を適度に締め付けることで、股関節や膝の不安定な動きを抑え、快適歩行をサポートすることができ、これにより自分の身体の正しい姿勢およびバランスの心地よさを意識させることができる。
【００３１】
本例のトレンカ１０は、下レッグ部１３を外側または内側、より好ましくは図４の左側に示す足（右足）において矢印Ａにて示す内側に半回転（１８０°）、または、図４の右側に示す左足において矢印Ｂにて示す内側に１回転（３６０°）ねじって下腿に装着することができるもので、これにより第３および第４サポート領域３３、３４のうちの下レッグ部１３に形成されている部位、すなわち下腿への装着部分がふくらはぎに圧力およびねじり力を加えるものである。この場合、図１〜図３に示したようにトレンカ１０を履いた後に、図４に示したように下レッグ部１３をねじってもよく、下レッグ部１３をねじりながらトレンカ１０を履いてもよい。このように下腿を適度に締め付けることで足元の不安定さを抑えるとともに、回旋効果により歩行しやすく筋肉を補助することができ、これにより自分の身体の正しい姿勢およびバランスの心地よさを意識させることができる。
【００３２】
より詳しくは、本例のトレンカ１０は、下記の効果を奏する。
【００３３】
（１）第１サポート領域３１による効果
・第１サポート領域３１がヒップの後面上部から股にわたる領域に圧力をかけることにより、仙骨の真上に対応する位置に圧力をかけることができるので、仙骨を固定することができる。
・第１サポート領域３１がヒップの後面上部から股にわたる領域に圧力をかけることにより、図３の矢印Ｆ１に示す方向の力を発生させて、股関節に外旋をかけることができる。この外旋により、ヒップを寄せることができるので、骨盤の歪みを整え、ヒップを要とした姿勢に安定させることができる。
・第１サポート領域３１がヒップの後面上部から股にわたる領域に圧力をかけることにより、股関節に外旋をかけることで、下腹を押さえることができるので、前屈みを補正して、お腹周りを引き締めることができる。すなわち、ぽっこりお腹をすっきりさせることができる。
・第１サポート領域３１がヒップの上部の後面上部から股にわたる領域に圧力をかけることにより、股関節に外旋をかけることで、ヒップアップにも寄与する。
【００３４】
（２）第２サポート領域３２による効果
・第２サポート領域３２が股から腰の前面上端に至る領域に圧力をかけることにより、図３の矢印Ｆ２に示す方向の力を発生させて、ヒップを上方に持ち上げる、すなわち、ヒップのトップを上方に持ち上げることができるので、ヒップアップ効果を確実に得ることができる。
【００３５】
（３）第３サポート領域３３による効果
・第３サポート領域３３が大腿に圧力をかけることにより、股関節の伸展（特に屈曲位から）、外旋を行う大臀筋への意識アップを促し、動きやすくさせることができる。
・第３サポート領域３３が大腿に圧力をかけることにより、ヒップのたるみを防ぐこともできる。
【００３６】
（４）第４サポート領域３４による効果
・第４サポート領域３４が少なくとも内股（内転筋）に圧力をかけることにより、内転筋への意識アップを促し、動きやすくさせることができる。
・第４サポート領域３４が内股に圧力をかけることにより、ヒップのたるみを防ぐこともできる。
・第４サポート領域３４が内股に圧力をかけることにより、内転筋に圧力をかけることができるので、Ｏ脚の原因になるといわれている内転筋の衰えを補助することができる。
【００３７】
（５）下レッグ部１３を内側にねじって装着することによる効果
・第３および第４サポート領域３３、３４が足首から膝にかけて内側にねじりをかけることにより、第３および第４サポート領域３３、３４が歩くたびにふくらはぎを心地よく刺激し、下腿の血液ポンピング作用を促進させる。
・第３および第４サポート領域３３、３４が足首から膝にかけて内側にねじりをかけることにより、正しいバランス歩行を可能にする。
・第３および第４サポート領域３３、３４が足首から膝にかけて内側にねじりをかけることにより、ふくらはぎのたるみをなくし、ふくらはぎをしっかりとサポートする。
・下レッグ部１３のねじりを、０回転（ねじり無し）、半回転、１回転から選択することができるので、着用者の体調に合わせてふくらはぎを締め付ける力のレベルを調整（回旋レベル調整）することができる。
・下レッグ部１３のねじりを、半回転とすることにより、Ｘ脚の着用者の両膝間の間隔を狭めることができるので、Ｘ脚の着用者の足を正しい方向にサポートすることができるとともに、すらっとした脚を作ることができる。  
・下レッグ部１３のねじりを、１回転とすることにより、Ｏ脚の着用者の両踝間の間隔を狭めることができるので、Ｏ脚の着用者の足を正しい方向にサポートすることができるとともに、すらっとした脚を作ることができる。
【００３８】
（７）回旋用マーク４０による効果
・着用者が下レッグ部１３および回旋用マーク４０の有無および位置を視認するという簡単な方法で、下レッグ部１３のねじりの有無および回数を容易に確認することができる。本例のトレンカ１０において、回旋用マーク４０は、下レッグ部１３を０回転（ねじりなし）および１回転させたときに後側に存在し、下レッグ部１３を半回転させたときに前側に存在する。
【００３９】
（８）第５サポート領域３５による効果
・第５サポート領域３５が膝裏の内外を結ぶように圧力をかけることにより、膝裏の位置を固定し、着用状態において膝が後側に移動するのを防止することができる。
・第５サポート領域３５が膝裏の内外を結ぶように圧力をかけることにより、下レッグ部１３にねじり圧力をかける場合、ねじり領域をほぼ下レッグ部１２のみに抑えることができる。すなわち、ねじり領域の上端を上レッグ部１２と下レッグ部１３の境界部分に制限して、ねじりの上端の起点を膝裏の位置に規制することができる。なお、下レッグ部１３にねじりをかける場合、第５サポート領域３５、詳しくは下レッグ部１３の上端も内側に多少移動するが、この移動は実用上なんら問題のないものであり、実質的には、下レッグ部１３のみをねじることになる。
【００４０】
本考案のトレンカ１０は上記実施形態に限定されるものではなく、種々の変更が可能である。例えば、着圧領域３０の形状は適宜選択することができる。
【符号の説明】
【００４１】
１０  トレンカ
１１  パンツ部
１１ａ  ウエスト部
１１ｂ  股部
１１ｃ  ヒップ部
１１ｃａ  トップ部
１２  上レッグ部
１３  下レッグ部
１４  フット部
２０  ベース生地領域
３０  着圧領域
３１  第１着圧領域
３２  第２着圧領域
３３  第３着圧領域
３４  第４着圧領域
３５  第５着圧領域
４０  回旋用マーク
【図１】
0003161697.tif 000003
【図２】
0003161697.tif 000004
【図３】
0003161697.tif 000005
【図４】
0003161697.tif 000006